(57)【要約】      （修正有）【課題】昇降椅子の移動が簡単で、所定位置の床に簡単に固定することができ、且つ、ベッド上に座部が配置でき被介護者の移動が簡単で、かつ、収納に場所を余り占用されない移動昇降椅子を提供する。【解決手段】昇降する座部３１を有する椅子部３と該椅子部３を支持する移動基部２からなる移動昇降椅子１であって、移動基部２は左右に対向する一対の基部枠体２１からなり、それぞれの基部枠体２１の底部には、それぞれに複数のキャスター４を設けてキャスター４の少なくとも４個のキャスター４を一括してロック及びロック解除する操作部６及び操作レバー６１を移動基部２から上方に延びたスライド柱２３で椅子部３の背もたれ部３２の外側近傍に設けた移動昇降椅子。【選択図】図１
2014161682.tif 000002
【特許請求の範囲】
【請求項１】
昇降する座部を有する椅子部と該椅子部を支持する移動基部からなる移動昇降椅子であって、
該移動基部は左右に対向する一対の基部枠体からなり、
それぞれの基部枠体の底部には、それぞれに複数のキャスターを設けて該キャスターの少なくとも４個のキャスターを一括してロック及びロック解除する操作部及び操作レバーを移動基部から上方に延びたスライド柱で椅子部の背もたれ部の外側近傍に設けたことを特徴とする移動昇降椅子。
【請求項２】
前記一対の基部枠体は２段の段差を設け、前方の座部の下に位置する前枠体は高さを低くすると共に、その先端近傍に高さの低いキャスターを配置した特徴とする請求項１に記載の移動昇降椅子。
【請求項３】
前記一対の基部枠体は前方での距離は広く後方での距離は狭くして、他の移動昇降椅子の一部を重ねての収納できるようにしたことを特徴とする請求項１又は２に記載の移動昇降椅子。
【請求項４】
前記一対の前枠体は前方には左右の掛け渡したフットレストを設け、該フットレストは後方に折りたたむめることを特徴とする請求項３に記載の移動昇降椅子。
【発明の詳細な説明】
【技術分野】
【０００１】
本発明は、座部や背部が昇降し、且つ、ベッドサイド等に自由に移動や固定可能な移動昇降椅子に関するものである。
【背景技術】
【０００２】
従来より、足腰の弱い老人（高齢者）や足が不自由な人が、立ち上がったり座ったりし易いように座部及び背部（背もたれ）が昇降する昇降椅子がある。
これらの昇降椅子には、例えば、床に載置される支持体（フレーム）に、椅子本体を電気モータにて昇降可能に設けたものを特許文献１、特許文献２等として提案されている。
また、病院や養護施設の床頭台においては、４個のキャスターを一括して操作する機構をすでに本出願人によって特許文献３として提案されている。
【先行技術文献】
【特許文献】
【０００３】
【特許文献１】特開２００１−５７９１９号公報
【特許文献２】特開２００７−６８９２０号公報
【特許文献３】特開２０１０−１１５４４５号公報
【発明の概要】
【発明が解決しようとする課題】
【０００４】
しかしながら、前述した特許文献１、２の昇降椅子は、移動昇降椅子の基部を床Ｆに固定するもので、昇降椅子を容易に移動できないといった問題点があった。
本発明の課題は、上述した問題点に鑑みてなされたもので、昇降椅子の移動が簡単で、所定位置の床Ｆに簡単に固定することができ、且つ、ベッド上に座部が配置でき被介護者の移動が簡単で、かつ、収納に場所を余り占用されない移動昇降椅子を提供しようとするものである。
【課題を解決するための手段】
【０００５】
上記課題を解決するために、請求項１の発明は、昇降する座部を有する椅子部と該椅子部を支持する移動基部からなる移動昇降椅子であって、該移動基部は左右に対向する一対の基部枠体からなり、それぞれの基部枠体の底部には、それぞれに複数のキャスターを設けて該キャスターの少なくとも４個のキャスターを一括してロック及びロック解除する操作部及び操作レバーを移動基部から上方に延びたスライド柱で椅子部の背もたれ部の外側近傍に設けたことを特徴とする移動昇降椅子である。
請求項２の発明は、請求項１に記載の移動昇降椅子であって、前記一対の基部枠体は２段の段差を設け、前方の座部の下に位置する前枠体は高さを低くすると共に、その先端近傍に高さの低いキャスターを配置した特徴とする。
請求項３の発明は、請求項１又２に記載の移動昇降椅子であって、前記一対の基部枠体は前方での距離は広く後方での距離は狭くして、他の移動昇降椅子の一部を重ねての収納できるようにしたことを特徴とする。
請求項４の発明は、請求項３に記載の移動昇降椅子であって、前記一対の前枠体は前方には左右の掛け渡したフットレストを設け、該フットレストは後方に折りたたむめることを特徴とする。
【発明の効果】
【０００６】
本発明の請求項１の移動昇降椅子によれば、移動昇降椅子の座部に人を座らせたままで移動でき、所望の場所で操作レバーを挙げて、キャスターを一括してロック解除して簡単に移動することができ、目的の所定位置でキャスターの操作レバーを手から離せば、自動的に複数のキャスターを一括してロックして移動昇降椅子を所望の床Ｆに簡単に固定することができる。
また、請求項１、２の移動昇降椅子の発明によれば、移動昇降椅子が移動と椅子部の昇降が容易であるから、座部をベッド上等に簡単に配置することができるので、座部に座った被介護者を簡単にベッドに移すことができ、逆に、ベッド上の被介護者を移動昇降椅子の座部に座らせることができる。
更に、請求項２の移動昇降椅子の発明によれば、一対の基部枠体は前方の座部の下に位置部分は高さを低くしたので、ベッド底が床Ｆに近くても、基部枠体の先端をベッド下に進入させることができ、大概の座部をベッド上等に配置することができるので、被介護者の椅子からベッドに移動、ベッドから椅子の移動が多くの人手を要しないで可能となる。
更に、請求項３、４の移動昇降椅子の発明によれば、一対の基部枠体は前方での距離は広く後方での距離は狭くし、フットレストを設けた場合は、フットレストは後方に折りたたむことで、他の移動昇降椅子の一部を重ねての収納でき、収納場所を小さくすることができる。
【図面の簡単な説明】
【０００７】
【図１】本発明の実施例の移動昇降椅子の椅子部を最下位置にした状態の斜視図、
【図２】図１の側面図
【図３】図１の背面図、
【図４】図１の平面図、
【図５】図１で、座部、肘当て部、フットレスト回動して折り畳んだ状態の斜視図、
【図６】移動昇降椅子の椅子部を最上位置にした状態の斜視図、
【図７】図６の側面図
【図８】図６の背面図である。
【発明を実施するための形態】
【０００８】
本発明の好適な移動昇降椅子の実施例を図面に沿って説明する。
【実施例】
【０００９】
図１は、本発明の実施例の移動昇降椅子１で、人を乗せて移動可能な移動昇降椅子１であり、床Ｆ(図２,７,８参照)に設置される移動基部２と椅子部３とから構成され、移動基部２は左右に対向する一対の基部枠体２１から構成され、それぞれの基部枠体２１の底部２２には、それぞれに複数のキャスター４を設けて後輪キャスター４１と中間キャスター４２の少なくとも４個のキャスター４は一括してロック及びロック解除される。このキャスター４のロック及びロック解除は同軸操作ワイヤー５(図３,８参照)で操作部６の操作でキャスター操作機構(図示せず)を操作して行われるが、このキャスター４のキャスター操作機構を操作する操作部６及び操作レバー６１を移動基部２から上方に延びた一対のスライド柱２３であって、椅子部３の背もたれ部３２の外側近傍に設け、移動昇降椅子１の座部３１に被介護者を座らせたままで移動でき、所望の場所で操作レバー６１を挙げて、キャスター４を一括してロック解除して簡単に移動することができ、目的の所定位置でキャスター４の操作レバー６１を手から離せば、自動的に複数のキャスター４を一括してロックして移動昇降椅子１を所望の床Ｆに簡単に固定することができる。
なお、操作部６及び操作レバー６１は、図３に示すように、前記の一対のスライド柱２３の上端部外側に移動昇降椅子１を移動する際に使用する水平にハンドル部２４及びその両端に把持部２４１が設けられ、その右側の把持部２４１の下側に設けられている。
【００１０】
また、一対の基部枠体２１は、図１、図２に示すように、２段の高さが異なる段差を有して前方の低い前枠体２１１と後方の比較的高い後枠体２１２を有しており、連結枠２５で連結され、椅子部３の背もたれ部３２を支える後半部の後枠体２１２には、比較的大径の双輪の後輪キャスター４１と同じく比較的大径の双輪の中間キャスター４２の前後２個のキャスターを配置して、重量のある昇降する椅子部３を支持している。この比較的大径の左右の双輪キャスター４１,４２にはキャスター操作機構(図示せず)が組み込まれ、操作部６の操作レバー６１の操作によって一括してロック及びロック解除される。
しかし、後輪キャスター４１と中間キャスター４２だけでは移動昇降椅子１が前側に倒れるような不安定な状態にあるので、基部枠体２１を前方に低い前枠体２１１を前方に延ばしており、その前枠体２１１の先端近傍に高さの低い前輪キャスター４３を設けている。更に、前枠体２１１の先端近傍には左右の掛け渡したフットレスト７を設け、使用状態では前方に回動して係止部７２を前枠体２１１の上面の所定位置に係止し、収納時はフットレスト７を回動軸７１を中心して後方に回動して、係止部７２を前枠体２１１の上面に係止して後方に折り畳めるようになっている。
【００１１】
なお、図３に示すように、少なくとも左右の双輪キャスター４１,４２の全４個の双輪キャスター４１,４２を操作部６の操作レバー６１の操作によって、一括してロック及びロック解除することで移動昇降椅子１が固定及び移動可能となる。ただし、前輪キャスター４３にはキャスター操作機構(図示せず)が組み込まれていないが、必要であれば、低い高さの前輪キャスター４３にもキャスター操作機構を組み込んで、一括してロック及びロック解除するようにしてもよい。
この低い前枠体２１１の高さを低くした部分は、ほぼ座部３１の下に位置部分に対応しており、後述する図７に示すように、座部３１をベッドＢ及びその上マットＭ上に配置させるために、前枠体２１１が大概のベッドＢの下に進入できるようにしたものである。
【００１２】
また、図４、及び回動部３１１を中心に回動した座部３１,回動部３３１を中心に回動した肘当て部３３,フットレスト７を回動軸７１を中心に回動した状態の図５に示すように、前記一対の基部枠体２１は前方での内側距離Ｘは広く、後方での外側距離Ｙは狭くして(Ｘ＞Ｙ)、他の移動昇降椅子１の後方の後枠体２１２の一部を重ねての収納できるようにし、その際、フットレスト７を使用位置にしたままでは、重ねて収納しただけでは邪魔となるので、不使用でのフットレスト７は後方に折りたためるようにしている。この収納の際、移動昇降椅子１は、図５に示すように座部３１及び肘当て部３３は椅子部３の回動部３１１,３３１を中心にして回動し上方に跳ね上げて折り畳むようにしている。
【００１３】
次に、椅子部３の昇降操作を説明するが、基本的には前掲の特許文献２の機構と同じである。
図３は椅子部３が最下位置にある状態の後方からの背面図、図６は椅子部３が最下位置に昇降した状態の前方から斜視図、図８はその背面図である。移動基部２に設けられた対向する一対のスライド柱２３に椅子部３が案内されるが、この椅子部３は座部３１,背もたれ部３２,肘当て部３３を一体とする椅子枠体３４の全体を昇降機構８によって昇降させ、この昇降機構８は進退可能な上下動アクチュエータ８１によって椅子部３を昇降させ、上下動アクチュエータ８１は電動駆動装置８２及びバッテリー８３によって駆動される。
この電動駆動装置８２の駆動指令は、水平にハンドル部２４の左側の把持部２４１の近傍のスライド柱２３に設けられた椅子部３を昇降する昇降スイッチ８４によって操作される。
【００１４】
そこで、昇降手順を説明すると、図３の最下位置にある状態で昇降スイッチ８４を上方向にＯＮすると、電動駆動装置８２(図１参照)及びバッテリー８３によって上下動アクチュエータ８１が上方に延び、椅子枠体３４が一対のスライド柱２３に沿って上方に移動し、所望な高さになったところで昇降スイッチ８４をＯＦＦにすれば、その椅子部３はその高さ位置を保持する。
したがって、例えば、図７、図８は最下位置に昇降した状態であるが、上述したように、所望の高さのベッドＢ及びマットＭや布団の上に座部３１を位置させることが、昇降スイッチ８４の操作で簡単にできる。
このマットＭや布団の上面位置と座部３１の水平位置がほぼ同じにできるので、ベッドＢ上の被介護者を座部３１に簡単に移動させることができ、逆に、被介護者を座部３１からベッドＢ上に簡単に移動させることができる。
【００１５】
本発明の実施例の移動昇降椅子によれば、移動昇降椅子の座部に人を座らせたままで移動でき、所望の場所で操作レバーを挙げて、キャスターを一括してロック解除して簡単に移動することができ、目的の所定位置でキャスターの操作レバーを手から離せば、自動的に複数のキャスターを一括してロックして移動昇降椅子を所望の床Ｆに簡単に固定することができる。
また、移動昇降椅子が移動と椅子部の昇降が容易であるから、座部をベッド上等に簡単に配置することができるので、座部に座った被介護者を簡単にベッドに移すことができ、逆に、ベッド上の被介護者を移動昇降椅子の座部に座らせることができる。
特に、一対の基部枠体は前方の座部の下に位置部分は高さを低くしたので、ベッド底が床Ｆに近くても、前枠体をベッド下に進入させることができ、大概の座部をベッド上等に配置することができるので、被介護者の椅子からベッドに移動、ベッドから椅子の移動が多くの人手を要しないで可能となる。
更に、一対の基部枠体は前方での距離は広く後方での距離は狭くし、フットレストを設けた場合は、フットレストは後方に折りたたむことで、他の移動昇降椅子の一部を重ねての収納でき、収納場所を小さくすることができる。
なお、本発明の特徴を損なうものでなければ、上記の各実施例に限定されるものでないことは勿論である。
【符号の説明】
【００１６】
Ｂ・・ベッド、Ｆ・・床、Ｍ・・マット(布団)
Ｘ・・内側距離、Ｙ・・外側距離、
１・・移動昇降椅子、
２・・ 移動基部、２１・・基部枠体、２２・・底部、２１１・・前枠体、
２１２・・後枠体、２３・・スライド柱、
２４・・ハンドル部、２４１・・把持部、２５・・連結枠
３・・椅子部、３１・・座部、３１１・・回動部、
３２・・背もたれ部、３３・・肘当て部、３３１・・回動部、
３４・・椅子枠体、
４・・キャスター、４１・・後輪キャスター、４２・・中間キャスター、
４３・・前輪キャスター、
５・・同軸操作ワイヤー(点線)
６・・操作部、６１・・操作レバー
７・・フットレスト、７１・・回動軸、７２・・係止部、
８・・昇降機構、８１・・上下動アクチュエータ、８２・・電動駆動装置、
８３・・バッテリー、８４・・昇降スイッチ、
【図１】
2014161682.tif 000003
【図２】
2014161682.tif 000004
【図３】
2014161682.tif 000005
【図４】
2014161682.tif 000006
【図５】
2014161682.tif 000007
【図６】
2014161682.tif 000008
【図７】
2014161682.tif 000009
【図８】
2014161682.tif 000010